(57)【要約】【課題】シリンダ錠への装着作業性が良好なシリンダ錠装着スイッチの提供を目的とする。【解決手段】錠取付部材１に開設された錠装着穴２に挿入されるシリンダ錠３の筒状ケース４が挿通可能で、筒状ケース４に形成された前記錠装着穴２との回り止め５に係止する係止部６を備えたシリンダ挿通部７と、このシリンダ挿通部７に挿通して固定されたシリンダ錠３の被検出部８に当接し、該被検出部８の状態を検出する検出部９とを有して構成する。【選択図】　図１
2004116186.tif 000002
【特許請求の範囲】
【請求項１】
錠取付部材に開設された錠装着穴に挿入されるシリンダ錠の筒状ケースが挿通可能で、筒状ケースに形成された前記錠装着穴との回り止めに係止する係止部を備えたシリンダ挿通部と、
このシリンダ挿通部に挿通して固定されたシリンダ錠の被検出部に当接し、該被検出部の状態を検出する検出部とを有するシリンダ錠装着スイッチ。
【請求項２】
施解錠キーの挿抜により筒状ケース外方に向けて進退するキーチェックピンを備えたシリンダ錠と、
前記キーチェックピンに検出部を当接させて施解錠キーの挿抜状態を検知する請求項１記載のシリンダ錠装着スイッチとを有するスイッチ付きシリンダ錠。
【請求項３】
錠取付部材に開設された錠装着穴に挿入され、挿入方向への抜去が抜け止めフランジにより阻止されるシリンダ錠と、
請求項１記載のシリンダ錠装着スイッチとを有し、
前記シリンダ錠装着スイッチは、錠取付部材と、前記シリンダ錠に螺装される固定ナットにより挟み付けられて所定位置に固定されるシリンダ錠装着スイッチの固定構造。
【発明の詳細な説明】
【０００１】
【発明の属する技術分野】
本発明はシリンダに装着して使用されるシリンダ錠装着スイッチに関するものである。
【０００２】
【従来の技術】
装着されたスイッチにより施解錠キーの挿入状態等を検知することのできるスイッチ付きシリンダ錠としては、例えば、特許文献１に記載のものが知られている。
【０００３】
この従来例において、シリンダ錠のケースには、凹部が形成される、該凹部内に施解錠キーが完全に挿入された状態で”断”状態となる一対の接点レバーが固定され、接点レバーが”接”状態、すなわち、施解錠キーの不完全挿入状態での操作を検知するように構成される。
【０００４】
しかし、この従来例には、スイッチ部分がシリンダ錠に分離不能に一体形成されているために、例えば、シリンダ錠を施解錠するための施解錠キーを紛失した場合等においては、シリンダ錠３のみを交換することはできず、スイッチ付きシリンダ錠全体を交換する必要が生じ、無駄が発生するという問題がある。
【０００５】
この点は、スイッチ部分のみを別部品として形成し、シリンダ錠にビス等を使用して固定することにより回避可能であるが、この場合には、スイッチ部分の固定作業を要するために、組立作業性が低下するという問題を惹起する。
【０００６】
また、一般にシリンダ錠は、施錠対象である扉板等の錠取付部材に開設された錠装着穴に挿入して固定されるが、予めシリンダ錠にスイッチ部分が固定されていると、シリンダ錠の軸方向に錠装着穴より大きな断面部分が発生する機会が多くなる。この断面部分が発生すると、スイッチ付きシリンダ錠を後端から錠装着穴に挿通させることが不可能となるために、シリンダ錠を固定するためには、シリンダ錠頭部側から錠装着穴にシリンダ錠を挿通し、頭部側でナット等を使用して固定する必要がある。
【０００７】
しかし、頭部側は通常、利用者等への露出部分となるために、頭部側でシリンダ錠を固定する構成は、いたずら等によりシリンダ錠が取り外される機会が多くなり、防盗性の低下をもたらす。
【０００８】
【特許文献１】
実公昭５４−１４３０６号公報
【０００９】
【発明が解決しようとする課題】
本発明は、以上の欠点を解消すべくなされたものであって、シリンダ錠への装着作業性が良好なシリンダ錠装着スイッチの提供を目的とする。
【００１０】
また、本発明の他の目的は、施解錠キーの挿入状態の検知が可能なスイッチ付きシリンダ錠の提供にあり、さらに他の目的は、組立作業性が良好で、かつ、防盗性にも優れたシリンダ錠装着スイッチの固定構造の提供にある。
【００１１】
【課題を解決するための手段】
本発明によれば上記目的は、
錠取付部材１に開設された錠装着穴２に挿入されるシリンダ錠３の筒状ケース４が挿通可能で、筒状ケース４に形成された前記錠装着穴２との回り止め５に係止する係止部６を備えたシリンダ挿通部７と、
このシリンダ挿通部７に挿通して固定されたシリンダ錠３の被検出部８に当接し、該被検出部８の状態を検出する検出部９とを有するシリンダ錠装着スイッチ１０を提供することにより達成される。
【００１２】
シリンダ錠装着スイッチ１０のシリンダ錠３への装着は、シリンダ錠３の筒状ケース４をシリンダ挿通部７に挿通させて行われ、装着状態においてシリンダ錠３に形成された回り止め５に係止部６が係止してシリンダ錠３との間の空転が防止される。
【００１３】
シリンダ錠３に装着した状態で検出部９はシリンダ錠３の被検出部８に接触してシリンダ錠３の状態を知ることができ、例えば、施解錠状態を検出する場合には、施解錠操作により筒状ケース４内で回転駆動されるプラグ３ａの筒状ケース４からの露出部に回転により中心からの距離が変化する被検出部８を形成し、これに検出部９を接触させておくことにより検出できる。
【００１４】
したがってこの発明において、錠取付部材１に挿通されたシリンダ錠３の筒状ケース４をシリンダ挿通部７に挿通させるだけでシリンダ錠３に装着することができるために、作業性が向上する。
【００１５】
また、シリンダ錠装着スイッチ１０とシリンダ錠３とは別部品として形成されるために、まず、シリンダ錠３を錠取付部材１の錠装着穴２に挿入した後、シリンダ錠装着スイッチ１０を装着することが可能となる。このため、シリンダ錠３を錠装着穴２に挿通する際に、シリンダ錠装着スイッチ１０が邪魔になることがないために、シリンダ錠３を錠取付部材１の表面側から挿入して錠取付部材１の裏面側で固定することが可能となるために、防盗性が向上する。
【００１６】
【発明の実施の形態】
図１、２に、本発明の実施の形態を示す。この実施の形態において、スイッチ付きシリンダ錠は、シリンダ錠３への施解錠キーの挿入を検知することのできるように構成され、シリンダ錠３にシリンダ錠装着スイッチ１０を装着して形成される。シリンダ錠３は、先端部に抜け止めフランジ１２を備える筒状ケース４と、筒状ケース４に回転自在に挿入されるプラグ３ａとを有する。
【００１７】
プラグ３ａには、一側方に開放するキー挿入溝３ｂが形成され、プラグ３ａが筒状ケース４に対して所定の回転位置（キー抜き差し位置）にある場合にのみ該キー挿入溝３ｂに施解錠キーを挿入することができる。このキー挿入溝３ｂに所定の施解錠キーを挿入すると、プラグ３ａと筒状ケース４の回転境界上に位置してプラグ３ａの回転を阻止していた図外のタンブラが回転境界を開放し、プラグ３ａを筒状ケース４に対して相対回転させることができる。
【００１８】
筒状ケース４は、抜け止めフランジ１２の基端から後端に至るまでほぼ全長に渡って、扉板等の錠取付部材１に開設される小判形状の錠装着穴２に挿入可能な断面形状を有し、図２（ａ）に示すように、錠装着穴２に挿入した状態で錠装着穴２の直線部２ａに平面部（回り止め５）を当接させることにより空転が防止される。この筒状ケース４の外周には、後述する固定ナット１３がねじ込まれる雄ねじ４ａが形成される。
【００１９】
また、シリンダ錠３には被検出部８が形成される。被検出部８は、上記筒状ケース４の平面部５に穿孔されたピン挿入孔８ａにキーチェックピン１１を挿入して形成される。ピン挿入孔８ａは、上記プラグ３ａがキー抜き差し位置にある際に該プラグ３ａのキー挿入溝３ｂに連通する位置に形成されており、キー挿入溝３ｂに施解錠キーが挿入されていない状態で、キーチェックピン１１の一端に形成される小径部１１ａはキー挿入溝３ｂ内に入り込む。この状態でキーチェックピン１１の他端は筒状ケース４の平面部５とほぼ同一面に位置しており、キー挿入溝３ｂに施解錠キーが挿入されると、キーチェックピン１１は施解錠キーによりキー挿入溝３ｂから押し出され、他端が平面部５から突出する。
【００２０】
一方、シリンダ錠装着スイッチ１０は、中央部に上記シリンダ錠３の筒状ケース４が挿通可能な貫通穴状のシリンダ挿通部７が形成されたスイッチケース１０ａ内にマイクロスイッチ１０ｂを固定して形成される。シリンダ挿通部７には、上記筒状ケース４の平面部５に当接して筒状ケース４に対する空転を防止する平面部（係止部６）が形成される。
【００２１】
また、マイクロスイッチ１０ｂは、図２（ｂ）に示すように、検出部９として動作する検知レバーが自由位置にあるときに筒状ケース４の平面部５に沿い、上記キーチェックピン１１が突出した際に動作位置まで移動する姿勢でスイッチケース１０ａに固定される。
【００２２】
このシリンダ錠装着スイッチ１０を装着するに際し、まず、シリンダ錠３を錠取付部材１の錠装着穴２に表面側から挿入し、次いで、シリンダ挿通部７に筒状ケース４を挿通させるようにしてシリンダ錠装着スイッチ１０をシリンダ錠３の後端側、すなわち、錠取付部材１の裏面側から外嵌する。この後、筒状ケース４の後端から該筒状ケース４に固定ナット１３をねじ込むと、図１に示すように、錠取付部材１とシリンダ錠装着スイッチ１０のスイッチケース１０ａが上記固定ナット１３と筒状ケース４の抜け止めフランジ１２によって挟まれた状態となって各部品が所定位置に固定される。
【００２３】
なお、図１に示すように、施錠用のタング１４等、錠装着穴２から挿通できない部品は、固定ナット１３を締め付けた後に、プラグ３ａの後端にナット１５等を使用して固定される。
【００２４】
この状態において、シリンダ錠３に施解錠キーを挿入すると、マイクロスイッチ１０ｂの検知レバー９は動作位置に移動して接点の接触状態が反転するために、接点の状態を図外のハーネスを経由して電気的に検出することにより、施解錠キーの挿入を確実に検出することが可能になる。
【００２５】
【発明の効果】
以上の説明から明らかなように、本発明によれば、簡単にシリンダ錠に装着することができるために、作業性が向上する。
【図面の簡単な説明】
【図１】本発明を示す断面図である。
【図２】図１の断面図で、（ａ）は図１の２Ａ−２Ａ線断面図、（ｂ）は図１の２Ｂ−２Ｂ線断面図である。
【符号の説明】
１　　　　錠取付部材
２　　　　錠装着穴
３　　　　シリンダ錠
４　　　　筒状ケース
５　　　　回り止め
６　　　　係止部
７　　　　シリンダ挿通部
８　　　　被検出部
９　　　　検出部
１０　　　シリンダ錠装着スイッチ
１１　　　キーチェックピン
１２　　　抜け止めフランジ
１３　　　固定ナット
【図１】
2004116186.tif 000003
【図２】
2004116186.tif 000004